(57)【特許請求の範囲】
【請求項１】
交流電源から供給される交流電圧を直流電圧に変換する直流電源回路と、
少なくとも、該直流電源回路の出力端に２個直列に接続されたスイッチング素子と、該各スイッチング素子にそれぞれ逆並列に接続されたダイオードと、前記スイッチング素子の１つに並列に接続された容量の切り替えが可能なスナバコンデンサーと、を有し、前記直流電圧を高周波電圧に変換するインバーター回路と、
前記スナバコンデンサーが並列に接続された前記スイッチング素子に並列に接続された加熱コイル及び共振コンデンサーの直列共振回路によって構成される負荷回路と、
前記スイッチング素子のオン／オフ動作をさせ、所定のデッドタイムを有する駆動信号を生成する駆動回路と、
前記スナバコンデンサーの容量を切り替えるスナバ切替手段と、
前記駆動回路及び前記スナバ切替手段を制御する制御回路と、
前記スナバコンデンサーに流れる電流を検出するスナバ電流検出手段と、
を備え、
前記制御回路は、
前記スナバ電流検出手段によって前記デッドタイム後に検出された電流の絶対値が、所定値以上であると判定した場合、前記スナバ切替手段に前記スナバコンデンサーの容量を小さい状態に切り替えさせ、
前記スナバ電流検出手段によって前記デッドタイム中に検出された電流の絶対値のピーク値が、所定値以上であると判定した場合、前記スナバ切替手段に前記スナバコンデンサーの容量を大きい状態に切り替えさせ、かつ、前記駆動回路に前記駆動信号について前記デッドタイムを長くさせ、
前記スナバ電流検出手段によって検出された電流に、デッドタイム中に転流が発生したと判定した場合、前記駆動回路に前記駆動信号について前記デッドタイムを短くさせる
ことを特徴とする誘導加熱調理器。
【請求項２】
交流電源から供給される交流電圧を直流電圧に変換する直流電源回路と、
少なくとも、該直流電源回路の出力端に２個直列に接続されたスイッチング素子と、該各スイッチング素子にそれぞれ逆並列に接続されたダイオードと、前記スイッチング素子の１つに並列に接続された容量の切り替えが可能なスナバコンデンサーと、を有し、前記直流電圧を高周波電圧に変換するインバーター回路と、
前記スナバコンデンサーが並列に接続された前記スイッチング素子に並列に接続された加熱コイル及び共振コンデンサーの直列共振回路によって構成される負荷回路と、
前記スイッチング素子のオン／オフ動作をさせ、所定のデッドタイムを有する駆動信号を生成する駆動回路と、
前記スナバコンデンサーの容量を切り替えるスナバ切替手段と、
前記駆動回路及び前記スナバ切替手段を制御する制御回路と、
前記スナバコンデンサーに流れる電流を検出するスナバ電流検出手段と、
を備え、
前記制御回路は、
前記スナバ電流検出手段によって前記デッドタイム後に検出された電流の絶対値が、所定値以上であると判定した場合、前記スナバ切替手段に前記スナバコンデンサーの容量を小さい状態に切り替えさせ、かつ、前記駆動回路に前記駆動信号について前記デッドタイムを短くさせ、
前記スナバ電流検出手段によって前記デッドタイム中に検出された電流の絶対値のピーク値が、所定値以上であると判定した場合、前記スナバ切替手段に前記スナバコンデンサーの容量を大きい状態に切り替えさせ、かつ、前記駆動回路に前記駆動信号について前記デッドタイムを長くさせる
ことを特徴とする誘導加熱調理器。
【請求項３】
交流電源から供給される交流電圧を直流電圧に変換する直流電源回路と、
少なくとも、該直流電源回路の出力端に２個直列に接続されたスイッチング素子と、該各スイッチング素子にそれぞれ逆並列に接続されたダイオードと、前記スイッチング素子の１つに並列に接続された容量の切り替えが可能なスナバコンデンサーと、を有し、前記直流電圧を高周波電圧に変換するインバーター回路と、
前記スナバコンデンサーが並列に接続された前記スイッチング素子に並列に接続された加熱コイル及び共振コンデンサーの直列共振回路によって構成される負荷回路と、
前記スイッチング素子のオン／オフ動作をさせ、所定のデッドタイムを有する駆動信号を生成する駆動回路と、
前記スナバコンデンサーの容量を切り替えるスナバ切替手段と、
前記駆動回路及び前記スナバ切替手段を制御する制御回路と、
調理器における入力電力又は出力電力を検出する電力検出手段と、
を備え、
前記制御回路は、
前記電力検出手段によって検出された前記入力電力又は前記出力電力が、所定値以上であると判定した場合、前記スナバ切替手段に前記スナバコンデンサーの容量を大きい状態に切り替えさせ、かつ、前記駆動回路に前記駆動信号について前記デッドタイムを長くさせ、
前記電力検出手段によって検出された前記入力電力又は前記出力電力が、前記所定値未満であると判定した場合、前記スナバ切替手段に前記スナバコンデンサーの容量を小さい状態に切り替えさせ、かつ、前記駆動回路に前記駆動信号について前記デッドタイムを短くさせる
ことを特徴とする誘導加熱調理器。
【請求項４】
交流電源から供給される交流電圧を直流電圧に変換する直流電源回路と、
少なくとも、該直流電源回路の出力端に２個直列に接続されたスイッチング素子と、該各スイッチング素子にそれぞれ逆並列に接続されたダイオードと、前記スイッチング素子の１つに並列に接続された容量の切り替えが可能なスナバコンデンサーと、を有し、前記直流電圧を高周波電圧に変換するインバーター回路と、
前記スナバコンデンサーが並列に接続された前記スイッチング素子に並列に接続された加熱コイル及び共振コンデンサーの直列共振回路によって構成される負荷回路と、
前記スイッチング素子のオン／オフ動作をさせ、所定のデッドタイムを有する駆動信号を生成する駆動回路と、
前記スナバコンデンサーの容量を切り替えるスナバ切替手段と、
前記駆動回路及び前記スナバ切替手段を制御する制御回路と、
前記負荷回路に流れる負荷電流を検出する出力電流検出手段と、
を備え、
前記制御回路は、
前記出力電流検出手段によって検出された前記負荷電流が、所定値以上であると判定した場合、前記スナバ切替手段に前記スナバコンデンサーの容量を大きい状態に切り替えさせ、かつ、前記駆動回路に前記駆動信号について前記デッドタイムを長くさせ、
前記出力電流検出手段によって検出された前記負荷電流が、前記所定値未満であると判定した場合、前記スナバ切替手段に前記スナバコンデンサーの容量を小さい状態に切り替えさせ、かつ、前記駆動回路に前記駆動信号について前記デッドタイムを短くさせる
ことを特徴とする誘導加熱調理器。
【請求項５】
交流電源から供給される交流電圧を直流電圧に変換する直流電源回路と、
少なくとも、該直流電源回路の出力端に２個直列に接続されたスイッチング素子と、該各スイッチング素子にそれぞれ逆並列に接続されたダイオードと、前記スイッチング素子の１つに並列に接続された容量の切り替えが可能なスナバコンデンサーと、を有し、前記直流電圧を高周波電圧に変換するインバーター回路と、
前記スナバコンデンサーが並列に接続された前記スイッチング素子に並列に接続された加熱コイル及び共振コンデンサーの直列共振回路によって構成される負荷回路と、
前記スイッチング素子のオン／オフ動作をさせ、所定のデッドタイムを有する駆動信号を生成する駆動回路と、
前記スナバコンデンサーの容量を切り替えるスナバ切替手段と、
前記駆動回路及び前記スナバ切替手段を制御する制御回路と、
調理器における入力電力又は出力電力を検出する電力検出手段と、
前記負荷回路に流れる負荷電流を検出する出力電流検出手段と、
を備え、
前記制御回路は、
前記電力検出手段によって検出された前記入力電力又は前記出力電力が、第１の所定値未満であると判定し、あるいは、前記出力電流検出手段によって検出された前記負荷電流が、第２の所定値未満であると判定した場合、前記スナバ切替手段に前記スナバコンデンサーの容量を小さい状態に切り替えさせ、かつ、前記駆動回路に前記駆動信号について前記デッドタイムを短くさせ、
前記電力検出手段によって検出された前記入力電力又は前記出力電力が、前記第１の所定値以上であると判定し、かつ、前記出力電流検出手段によって検出された前記負荷電流が、前記第２の所定値以上であると判定した場合、前記スナバ切替手段に前記スナバコンデンサーの容量を大きい状態に切り替えさせ、かつ、前記駆動回路に前記駆動信号について前記デッドタイムを長くさせる
ことを特徴とする誘導加熱調理器。
【請求項６】
調理器における入力電力又は出力電力を検出する電力検出手段と、
前記制御回路は、前記電力検出手段によって検出された前記入力電力又は前記出力電力に基づいて、鍋等が載置されているか否かを判定する
ことを特徴とする請求項１、請求項２又は請求項４記載の誘導加熱調理器。
【請求項７】
前記制御回路は、前記電力検出手段によって検出された前記入力電力又は前記出力電力に基づいて、鍋等が載置されているか否かを判定する
ことを特徴とする請求項３又は請求項５記載の誘導加熱調理器。
【請求項８】
前記制御回路は、前記電力検出手段によって検出された前記入力電力又は前記出力電力と、設定電力とを比較した結果に基づいて、前記駆動回路に前記駆動信号を生成させ、前記加熱コイルによる加熱出力の調節をする
ことを特徴とする請求項３、請求項５〜請求項７のいずれかに記載の誘導加熱調理器。
【請求項９】
使用者等による操作によって前記設定電力を設定する操作入力手段を備えた
ことを特徴とする請求項８記載の誘導加熱調理器。
【請求項１０】
前記制御回路は、前記駆動回路に対し、２つの前記スイッチング素子の導通時間比率をそれぞれ略５０％とし、かつ、２つの前記スイッチング素子が交互にオン状態となるような前記駆動信号を生成させ、該駆動信号の駆動周波数を変動させることによって、前記加熱出力の調節をする
ことを特徴とする請求項８又は請求項９記載の誘導加熱調理器。
【請求項１１】
前記インバーター回路は、前記スナバコンデンサーが並列に接続されていない前記スイッチング素子に並列に接続された第２のスナバコンデンサーを有し、
前記制御回路は、前記駆動回路に対し、駆動周波数を一定とし、かつ、２つの前記スイッチング素子が交互にオン状態となるような前記駆動信号を生成させ、該駆動信号の導通時間比率を変動させることによって、前記加熱出力の調節をする
ことを特徴とする請求項８又は請求項９記載の誘導加熱調理器。
【請求項１２】
前記制御回路は、前記スナバコンデンサーが並列に接続されている前記スイッチング素子がオン状態のときに、前記スナバ切替手段に前記スナバコンデンサーの容量を切り替えさせる
ことを特徴とする請求項１〜請求項１１のいずれかに記載の誘導加熱調理器。
【請求項１３】
前記共振コンデンサーに並列に接続されたクランプダイオードを備えた
ことを特徴とする請求項１〜請求項１２のいずれかに記載の誘導加熱調理器。
【発明の詳細な説明】
【技術分野】
【０００１】
本発明は、加熱コイルに高周波電流を供給して調理容器を誘導加熱する誘導加熱調理器に関するものである。
【背景技術】
【０００２】
従来の誘導加熱調理器においては、高出力時のスイッチング損失を低減するためにスナバコンデンサーの静電容量（以下、単に「容量」という）を大きくすると共に、低出力時にはスナバコンデンサーの容量が小さくなるように切り替えるものがあった（例えば、特許文献１参照）。高出力時にはスナバコンデンサーの容量を大きくすることによって、スイッチング素子をターンオフした後にそのスイッチング素子に印加される電圧変動を遅延させることができ、スイッチング素子に流れるテール電流等によるスイッチング損失（ターンオフ損失）を抑制することができる。一方、低出力時には、スナバコンデンサーの容量が大きい状態では、一方のスイッチング素子がオフしたときから、スナバコンデンサーが充電又は放電する以前に他方のスイッチング素子がオンすることになる。このとき他方のスイッチング素子にスナバコンデンサーを充電又は放電するラッシュ電流が流れて大きなスイッチング損失が生じるので、この場合、スナバコンデンサーの容量を小さく切り替えることによって、スナバコンデンサーを充電又は放電する時間を短縮して、デッドタイム（いずれのスイッチング素子もオフの期間）中にスナバコンデンサーの充電又は放電を完了しやすくすることができ、スイッチング素子のターンオン時に流れるラッシュ電流によるスイッチング損失を抑制することができる。
【先行技術文献】
【特許文献】
【０００３】
【特許文献１】特開２００３−３３８３５８号公報（第５−６頁、図７）
【発明の概要】
【発明が解決しようとする課題】
【０００４】
しかし、逆に、スナバコンデンサーの容量を小さくすると、一方のスイッチング素子がターンオンした後、スナバコンデンサーの電圧変動が速くなって、デッドタイム期間中に負荷回路に流れる電流が転流しやすくなり、転流が生じた場合にはスナバコンデンサーの容量が小さいので充放電に要する電気量は小さくてもターンオンするスイッチング素子に印加される電圧は高くなり、急峻な電流が短期間に流れ、輻射ノイズのピークは高くなる。その結果、スイッチング素子に生じるスイッチング損失の増加に加えて、入力電流検出回路及び出力電流検出回路等に対してノイズとして影響し、大きな誤差を生じさせる問題点があった。
【０００５】
本発明は、上記の問題点を解決するためになされたもので、出力の大きさに関わらずスイッチング素子の損失を低減して加熱効率を改善すると共に、入力電流検出回路及び出力電流検出回路等に対して影響するノイズの発生を抑制して、正確な加熱制御を実施することができる誘導加熱調理器を提供することを目的とする。
【課題を解決するための手段】
【０００６】
本発明に係る誘導加熱調理器は、交流電源から供給される交流電圧を直流電圧に変換する直流電源回路と、少なくとも、該直流電源回路の出力端に２個直列に接続されたスイッチング素子と、該各スイッチング素子にそれぞれ逆並列に接続されたダイオードと、前記スイッチング素子の１つに並列に接続された容量の切り替えが可能なスナバコンデンサーと、を有し、前記直流電圧を高周波電圧に変換するインバーター回路と、前記スナバコンデンサーが並列に接続された前記スイッチング素子に並列に接続された加熱コイル及び共振コンデンサーの直列共振回路によって構成される負荷回路と、前記スイッチング素子のオン／オフ動作をさせ、所定のデッドタイムを有する駆動信号を生成する駆動回路と、前記スナバコンデンサーの容量を切り替えるスナバ切替手段と、前記駆動回路及び前記スナバ切替手段を制御する制御回路と、前記スナバコンデンサーに流れる電流を検出するスナバ電流検出手段と、を備え、前記制御回路は、前記スナバ電流検出手段によって検出された電流の絶対値が、前記デッドタイム後に所定値以上であると判定した場合、前記スナバ切替手段に前記スナバコンデンサーの容量を小さい状態に切り替えさせ、前記スナバ電流検出手段によって前記デッドタイム中に検出された電流の絶対値のピーク値が、所定値以上であると判定した場合、前記スナバ切替手段に前記スナバコンデンサーの容量を大きい状態に切り替えさせ、かつ、前記駆動回路に前記駆動信号について前記デッドタイムを長くさせ、前記スナバ電流検出手段によって検出された電流に、デッドタイム中に転流が発生したと判定した場合、前記駆動回路に前記駆動信号について前記デッドタイムを短くさせることを特徴とする。
【発明の効果】
【０００７】
本発明に係る誘導加熱調理器によれば、インバーター回路のスイッチング素子において、テール電流等によるスイッチング損失（ターンオフ損失）を低減し、また、デッドタイム中にスナバコンデンサーにおける充電又は放電を完了させ、かつ、負荷電流の転流を回避することによってスナバコンデンサーに流れるラッシュ電流を低減することができるのでスイッチング損失及びノイズを低減することができる。
【図面の簡単な説明】
【０００８】
【図１】本発明の実施の形態１に係る誘導加熱調理器の回路構成図である。
【図２】本発明の実施の形態１に係る誘導加熱調理器のインバーター回路２２に入力される駆動信号の波形例を示す図である。
【図３】本発明の実施の形態１に係る誘導加熱調理器において、スナバコンデンサー１２の容量が大きい状態におけるスナバ電圧及びスナバ電流の変動を示す図である。
【図４】本発明の実施の形態１に係る誘導加熱調理器において、スナバコンデンサー１２の容量が小さい場合におけるスナバ電圧及びスナバ電流の変動を示す図である。
【図５】本発明の実施の形態１に係る誘導加熱調理器において駆動周波数と入力電力（入力電流）との関係を示す図である。
【図６】本発明の実施の形態１に係る誘導加熱調理器における加熱制御動作を示すフローチャートである。
【図７】本発明の実施の形態２に係る誘導加熱調理器における加熱制御動作を示すフローチャートである。
【図８】本発明の実施の形態３に係る誘導加熱調理器の回路構成図である。
【図９】本発明の実施の形態３に係る誘導加熱調理器における加熱制御動作を示すフローチャートである。
【図１０】本発明の実施の形態４に係る誘導加熱調理器における加熱制御動作を示すフローチャートである。
【図１１】本発明の実施の形態５に係る誘導加熱調理器における加熱制御動作を示すフローチャートである。
【図１２】本発明の実施の形態３に係る誘導加熱調理器の回路構成図の別の例である。
【図１３】本発明の実施の形態６に係る誘導加熱調理器の回路構成図である。
【図１４】本発明の実施の形態６に係る誘導加熱調理器のインバーター回路２２ａに入力される駆動信号の波形例を示す図である。
【発明を実施するための形態】
【０００９】
実施の形態１．
（誘導加熱調理器の回路構成）
図１は、本発明の実施の形態１に係る誘導加熱調理器の回路構成図である。
図１で示されるように、交流電源１は、ダイオードブリッジ回路２の入力側に接続されており、このダイオードブリッジ回路２の出力正極側には、チョークコイル３が接続されており、また、このチョークコイル３の他端とダイオードブリッジ回路２の出力負極側との間には平滑コンデンサー４が接続されている。少なくとも、上記のダイオードブリッジ回路２、チョークコイル３及び平滑コンデンサー４によって直流電源回路２１が構成されている。
なお、図１で示されるように交流電源１は単相のものとしているが、これに限定されるものではなく、交流電源１は三相であってもよく、この場合、ダイオードブリッジ回路２も三相の交流電圧を整流するものとすればよい。
【００１０】
平滑コンデンサー４には、高電位側のスイッチング素子（以下、単に「上スイッチ５」という）及び低電位側のスイッチング素子（以下、単に「下スイッチ６」という）の直列回路が並列に接続されている。この上スイッチ５には、逆並列にダイオード７が接続されており、そして、下スイッチ６には、逆並列にダイオード８が接続されている。
なお、上スイッチ５及び下スイッチ６は、例えば、ＩＧＢＴ又はＭＯＳＦＥＴ等その他の素子を用いればよい。
【００１１】
さらに、上スイッチ５又は下スイッチ６のいずれか１つ（図１の例では、下スイッチ６）に、第１スナバコンデンサー９、第２スナバコンデンサー１０と切り離しスイッチ１１との直列回路、及び、加熱コイル１３と共振コンデンサー１４との直列共振回路が、それぞれ並列接続されている。この第１スナバコンデンサー９、第２スナバコンデンサー１０及び切り離しスイッチ１１によってスナバコンデンサー１２が構成されている。また、少なくとも、上記の上スイッチ５、下スイッチ６、ダイオード７、ダイオード８及びスナバコンデンサー１２によって、インバーター回路２２が構成されている。さらに、上記の加熱コイル１３及び共振コンデンサー１４によって、負荷回路２３が構成されている。
なお、図１で示されるように、第２スナバコンデンサー１０を、切り離しスイッチ１１の高電位側に接続する構成としているが、これに限定されるものではなく、切り離しスイッチ１１の低電位側に接続する構成としてもよいのは言うまでもない。また、上記の切り離しスイッチ１１は、例えば、リレー回路、ＩＧＢＴ又はＭＯＳＦＥＴ等のスイッチング機能を有する部品を用いるものとすればよい。
【００１２】
交流電源１とダイオードブリッジ回路２との間には、直流電源回路２１への入力電流を検出する入力電流検出手段３１が設置されている。また、ダイオードブリッジ回路２の出力端には、その出力端間の電圧（以下、「入力電圧」という）を検出する入力電圧検出手段３２が設置されている。この入力電流検出手段３１、入力電圧検出手段３２、及び、使用者による操作を受け付けて操作信号を生成する操作入力手段３３が、制御回路３７に接続されている。また、前述の上スイッチ５及び下スイッチ６に対し駆動信号を出力して、そのオン／オフ動作を実施する駆動回路３４、切り離しスイッチ１１に切替信号を出力して、そのオン／オフ動作を実施するスナバ切替手段３５が、制御回路３７に接続されている。さらに、第１スナバコンデンサー９に流れる電流を検出するスナバ電流検出手段３６が、制御回路３７に接続されている。
【００１３】
入力電流検出手段３１及びスナバ電流検出手段３６は、それぞれ検出した電流を制御回路３７に送信する。また、入力電圧検出手段３２は、検出した入力電圧を制御回路３７へ送信する。また、操作入力手段３３は、生成した操作信号を制御回路３７へ送信する。そして、制御回路３７は、駆動回路３４及びスナバ切替手段３５に対して、それぞれ上スイッチ５及び下スイッチ６、並びに、切り離しスイッチ１１のオン／オフ動作を制御するための制御信号を送信する。
【００１４】
なお、上記において、入力電流検出手段３１を、交流電源１とダイオードブリッジ回路２との間に設置し、直流電源回路２１への入力電流を検出させるものとしているが、これに限定されるものではなく、例えば、直流電源回路２１とインバーター回路２２との間に設置し、直流電源回路２１から出力され、インバーター回路２２に入力される直流電流を入力電流として検出する構成としてもよい。
また、上記において、スナバ電流検出手段３６を、第１スナバコンデンサー９に流れる電流を検出するものとしているが、これに限定されるものではなく、スナバ電流検出手段３６によって、第１スナバコンデンサー９及び第２スナバコンデンサー１０の双方に流れる電流の合計が検出される構成としてもよい。
また、入力電流検出手段３１及び入力電圧検出手段３２は、本発明の「電力検出手段」に該当する。
【００１５】
（誘導加熱調理器の加熱動作）
図２は、本発明の実施の形態１に係る誘導加熱調理器のインバーター回路２２に入力される駆動信号の波形例を示す図である。以下、図１及び図２を参照しながら、本実施の形態に係る誘導加熱調理器の動作について説明する。
交流電源１から出力される交流電圧は直流電源回路２１におけるダイオードブリッジ回路２によって全波整流されて直流電圧に変換され、その直流電圧は平滑コンデンサー４によって平滑される。その平滑された直流電圧は、インバーター回路２２に印加される。
【００１６】
また、使用者は、誘導加熱調理器のトッププレート上の加熱口（図示せず）に鍋等を載置し、操作入力手段３３に対して火力調節のための操作を実施し、操作入力手段３３は、その操作内容に基づいて設定電力等の情報を含む操作信号を生成し、その操作信号を制御回路３７へ送信する。制御回路３７は、受信した操作信号に基づいて、駆動回路３４に対して上スイッチ５及び下スイッチ６のオン／オフ動作を制御するための制御信号を生成し、その制御信号を駆動回路３４に送信する。駆動回路３４は、受信した制御信号に基づいて、上スイッチ５及び下スイッチ６をオン／オフ動作をさせる駆動信号を生成し、その駆動信号を上スイッチ５及び下スイッチ６に出力する。上スイッチ５及び下スイッチ６は、その駆動信号に基づいて、オン／オフ動作を実施し、直流電源回路２１から印加される直流電圧を高周波電圧に変換する。この上スイッチ５及び下スイッチ６によって変換された高周波電圧によって、加熱コイル１３及び共振コンデンサー１４に高周波電流が流れる。この加熱コイル１３に流れる高周波電流によって生じる磁束の変化が、加熱コイル１３の上方に載置された鍋等において渦電流を誘起し、鍋等を加熱する。
【００１７】
このとき、インバーター回路２２の上スイッチ５及び下スイッチ６のオン／オフ動作の駆動周波数は、負荷回路２３の共振周波数よりも高い周波数の範囲内に設定される。また、図２で示されるように、上スイッチ５及び下スイッチ６は、上記の駆動信号に基づいて、交互にオン／オフ動作すると共に、上スイッチ５及び下スイッチ６をオン状態（通電状態）に切り替える際に所定時間、上スイッチ５及び下スイッチ６が共にオフ状態とするデッドタイムｄｔを設けており、デッドタイムｄｔを除いて、上スイッチ５と下スイッチ６のオン状態の時間比率は、上スイッチ５及び下スイッチ６共に５０％である。図２において、図２（ａ）は中出力、図２（ｂ）は高出力、そして、図２（ｃ）は低出力の場合の駆動信号である。
【００１８】
制御回路３７は、入力電流検出手段３１によって検出される入力電流、及び、入力電圧検出手段３２によって検出される入力電圧に基づいて算出される入力電力が、操作入力手段３３によって設定された電力となるように駆動回路３４を介してインバーター回路２２の制御を実施する。
【００１９】
（スイッチング動作に伴うスナバ電圧及びスナバ電流の挙動）
図３は、本発明の実施の形態１に係る誘導加熱調理器において、スナバコンデンサー１２の容量が大きい状態におけるスナバ電圧及びスナバ電流の変動を示す図である。図３においては、スナバコンデンサー１２の容量を大きくするために、制御回路３７がスナバ切替手段３５を介して切り離しスイッチ１１をオン状態にさせ、第２スナバコンデンサー１０を有効にしているものとする。
【００２０】
図３（ａ）は、デッドタイムｄｔ中に負荷回路２３に流れる電流によってスナバコンデンサー１２の充電又は放電が完了する場合の波形例であり、そして、図３（ｂ）は、負荷回路２３に流れる電流が小さいためにデッドタイムｄｔ中にスナバコンデンサー１２充電又は放電が完了しない場合の波形例である。なお、図３における「スナバ電圧」とは、スナバコンデンサー１２の両端電圧を意味し、「スナバ電流」とはスナバコンデンサー１２を流れる電流を意味する。以降の説明において、同様とする。図３（ａ）においては、スナバコンデンサー１２の充電又は放電が完了すると、ダイオード７又はダイオード８が導通し、上スイッチ５又は下スイッチ６のターンオンはゼロボルトスイッチングとなりスイッチング損失は低減する。一方、図３（ｂ）においては、上スイッチ５又は下スイッチ６のターンオンは、スナバコンデンサー１２が充電又は放電が完了しない状態でなされるので、スナバコンデンサー１２を充電又は放電するためのラッシュ電流が流れるため、大きなスイッチング損失及びノイズが発生する。
【００２１】
図４は、本発明の実施の形態１に係る誘導加熱調理器において、スナバコンデンサー１２の容量が小さい場合におけるスナバ電圧及びスナバ電流の変動を示す図である。図４においては、スナバコンデンサー１２の容量を小さくするために、制御回路３７がスナバ切替手段３５を介して切り離しスイッチ１１をオフ状態にさせ、第２スナバコンデンサー１０を無効としているものとする。
【００２２】
図４（ａ）は、デッドタイムｄｔ中に負荷回路２３に流れる電流によってスナバコンデンサー１２の充電又は放電が短期間に完了する場合の波形例であり、図４（ｂ）は、デッドタイムｄｔ中の適当な時間内にスナバコンデンサー１２の充電又は放電が完了し、かつ、転流が生じない波形例であり、そして、図４（ｃ）は、デッドタイムｄｔ中に負荷回路２３に流れる電流に転流が生じる波形例である。図４（ａ）においては、下スイッチ６がターンオフする場合のテール電流等によってスイッチング損失（ターンオフ損失）が大きくなる。また、図４（ｂ）においては、上スイッチ５又は下スイッチ６のターンオンは、ゼロボルトスイッチングとなりスイッチング損失は低減する。そして、図４（ｃ）においては、負荷回路２３に流れる電流に転流が生じるので、ターンオンする上スイッチ５又は下スイッチ６がゼロボルトスイッチングできなくなり、ラッシュ電流が流れるので大きなスイッチング損失及びノイズが発生する。
【００２３】
（駆動周波数と入力電力との関係）
図５は、本発明の実施の形態１に係る誘導加熱調理器において駆動周波数と入力電力（入力電流）との関係を示す図である。
図５において、実線はスナバコンデンサー１２の容量が大きい状態、そして、破線はスナバコンデンサー１２の容量が小さい状態を示す。図５で示されるように、大径鍋が載置されている場合には、加熱コイル１３に流れる高周波電流によって生じる誘導電流が流れる面積が広く、比較的高い駆動周波数（以下、この状態を「駆動信号レベルが低い」という）でも、入力電力（入力電流）はある程度大きくなる。一方、鍋が載置されていない無負荷状態では、駆動周波数を低い状態（以下、この状態を「駆動信号レベルが高い」という）にしても、誘導電流が流れて発熱する鍋がないので、その入力電力（入力電流）は低いレベルに留まる。そして、小径鍋が載置されている場合には、大径鍋が載置されている状態と無負荷状態との中間の特性を示す。
【００２４】
ここで、スナバコンデンサー１２の容量が小さい場合には、スナバコンデンサー１２の容量が大きい場合と比較して、図２（ｂ）で示される駆動信号のような駆動信号レベルが高い場合に、入力電力（入力電流）がやや大きくなる。これは、インバーター回路２２の出力電流が大きくなって、図４（ａ）で示されるように、下スイッチ６がターンオフしたときの電圧変動が速くなって、テール電流等によるスイッチング損失（ターンオフ損失）が増加するからである。
【００２５】
また、スナバコンデンサー１２の容量が大きい場合には、スナバコンデンサー１２の容量が小さい場合と比較して、図２（ｃ）で示される駆動信号のような駆動信号レベルが低い場合に、入力電力（入力電流）がやや大きくなる。これは、図３（ｂ）で示されるように、デッドタイムｄｔ中にスナバコンデンサー１２の充電又は放電が完了しない状態で、上スイッチ５又は下スイッチ６がターンオンするので、このターンオン時にスナバコンデンサー１２を充電又は放電するためのラッシュ電流が流れるため、スイッチング損失が増加するからである。また、このとき、スイッチング損失が増加すると共に、ノイズが発生し、検出した入力電力（入力電流）がそのノイズの影響によって、実際の入力電力（入力電流）よりも大きくなる。図５において、検出した入力電力（入力電流）を太い実線で示し、実際の入力電力（入力電流）を細い実線で示す。その結果、駆動信号レベルを下げても、スイッチング損失が増加するため入力電力（入力電流）は十分に下がらず、その結果、最低設定電力に設定した場合（例えば、１００Ｗ出力）には、無負荷状態及び小径鍋が載置されている状態のそれぞれの状態で検出される入力電力（入力電流）にほとんど差異はなく、無負荷状態を判別することができない。
【００２６】
したがって、無負荷状態を判別するためには、図５で示されるような閾値を設定し、駆動信号レベルが高い状態や入力電力が大きい状態ではスナバコンデンサー１２の容量を大きい状態とし、駆動信号レベルが低い状態や入力電力が小さい状態ではスナバコンデンサー１２の容量を小さい状態として、検出される入力電力（入力電流）がその閾値よりも大きいか否かによって判別すればよい。
【００２７】
（スナバコンデンサー１２の容量の切替動作）
図６は、本発明の実施の形態１に係る誘導加熱調理器における加熱制御動作を示すフローチャートである。以下、図６を参照しながら、スナバコンデンサー１２の容量の切替動作を含めた本実施の形態に係る誘導加熱調理器における加熱制御動作について説明する。
【００２８】
（Ｓ１）
まず、制御回路３７は、操作入力手段３３から操作信号を受信することによって、使用者による加熱開始要求の操作が実施されたか否かを判定する。その判定の結果、加熱開始要求の操作が実施された場合、ステップＳ２へ進む。一方、加熱開始要求の操作が実施されていない場合、引き続き、加熱開始要求の操作が実施されるまで待機する。
【００２９】
（Ｓ２）
制御回路３７は、操作入力手段３３から受信した操作信号に含まれる設定電力に基づいて制御信号を生成し、その制御信号を駆動回路３４へ送信する。駆動回路３４は、受信した制御信号に基づいて駆動信号を生成し、上スイッチ５及び下スイッチ６への駆動信号の出力を開始する。
【００３０】
（Ｓ３）
制御回路３７は、入力電流検出手段３１によって検出された入力電流、及び、入力電圧検出手段３２によって検出された入力電圧に基づいて、適正な鍋等が載置されているか否かを判定する。その判定の結果、適正な鍋等が載置されている場合、ステップＳ４へ進む。一方、適正な鍋等が載置されていない場合、ステップＳ１へ戻る。
なお、制御回路３７は、入力電流検出手段３１によって検出された入力電流、及び、入力電圧検出手段３２によって検出された入力電圧に基づいて、適正な鍋等が載置されているか否かを判定するものとしたが、これに限定されるものではなく、上記の入力電流のみに基づいて判定するものとしてもよい。また、上記の入力電流等、及び、スナバ電流検出手段３６で検出される電流に基づいて判定するものとしてもよい。
【００３１】
（Ｓ４） 
次に、制御回路３７は、切り離しスイッチ１１がオン状態で第２スナバコンデンサー１０が有効になっていることによりスナバコンデンサー１２の容量が大きい状態であるか、あるいは、切り離しスイッチ１１がオフ状態で第２スナバコンデンサー１０が無効になっていることによりスナバコンデンサー１２の容量が小さい状態であるか判定する。その判定の結果、スナバコンデンサー１２の容量が大きい場合、ステップＳ５へ進む。一方、スナバコンデンサー１２の容量が小さい場合、ステップＳ８へ進む。
【００３２】
（Ｓ５） 
制御回路３７は、デッドタイムｄｔ後に、スナバ電流検出手段３６によって検出された電流の絶対値が、所定値以上である否かを判定する。その判定の結果、所定値以上である場合、図３（ｂ）で示されるスナバ電圧及びスナバ電流の状態であり、デッドタイムｄｔ中にスナバコンデンサー１２の充電又は放電が完了せず、上スイッチ５又は下スイッチ６のターンオン時に、スナバコンデンサー１２を充電又は放電するためのラッシュ電流が流れて、大きなスイッチング損失及びノイズが発生している状態であると判断し、ステップＳ６へ進む。一方、所定値未満である場合、図３（ａ）で示されるスナバ電圧及びスナバ電流の状態であると判断し、ステップＳ１４へ進む。
【００３３】
（Ｓ６） 
制御回路３７は、下スイッチ６がオン状態となるタイミングを検出するまで待機し、検出した場合、ステップＳ７へ進む。
【００３４】
（Ｓ７） 
制御回路３７は、スナバ切替手段３５に制御信号を送信し、スナバ切替手段３５は、受信した制御信号に基づいて切替信号を生成して切り離しスイッチ１１に出力してオフ状態にさせる。その結果、第２スナバコンデンサー１０が無効となり、スナバコンデンサー１２の容量は小さい状態となる。これによって、スナバコンデンサー１２の充電又は放電に要する時間を短縮できるので、上スイッチ５又は下スイッチ６のターンオン時のラッシュ電流を低減でき、スイッチング損失及びノイズを抑制することができる。なお、ステップＳ６において、下スイッチ６がオン状態となるまで待機して、スナバコンデンサー１２の容量を切り替えるのは、下スイッチ６のオン状態はスナバコンデンサー１２のスナバ電圧及びスナバ電流がゼロの状態であるからである。そして、ステップＳ１４へ進む。
【００３５】
（Ｓ８） 
制御回路３７は、デッドタイムｄｔ中に、スナバ電流検出手段３６によって検出される電流の絶対値のピーク値が、所定値以上であるか否かを判定する。その判定の結果、所定値以上である場合、図４（ａ）で示されるスナバ電圧及びスナバ電流の状態であり、下スイッチ６がターンオフする場合にその両端に印加される電圧が急増してテール電流等によるスイッチング損失（ターンオフ損失）が大きくなる状態であると判断し、ステップＳ９へ進む。一方、所定値未満である場合、ステップＳ１２へ進む。
【００３６】
（Ｓ９） 
制御回路３７は、下スイッチ６がオン状態となるタイミングを検出するまで待機し、検出した場合、ステップＳ１０へ進む。
【００３７】
（Ｓ１０） 
制御回路３７は、スナバ切替手段３５に制御信号を送信し、スナバ切替手段３５は、受信した制御信号に基づいて切替信号を生成して切り離しスイッチ１１に出力してオン状態にさせる。その結果、第２スナバコンデンサー１０が有効となり、スナバコンデンサー１２の容量は大きい状態となる。これによって、下スイッチ６のターンオフ時に、その両端に印加される電圧の増加を緩やかにして、テール電流によるスイッチング損失を低減することができる。なお、ステップＳ９において、下スイッチ６がオン状態となるまで待機して、スナバコンデンサー１２の容量を切り替えるのは、下スイッチ６のオン状態はスナバコンデンサー１２のスナバ電圧及びスナバ電流がゼロの状態であるからである。
【００３８】
（Ｓ１１） 
さらに、制御回路３７は、駆動回路３４が出力する駆動信号のデッドタイムｄｔが長くなるように、駆動回路３４に制御信号を送信する。これによって、上スイッチ５又は下スイッチ６のターンオフ時に、スナバコンデンサー１２の両端に印加される電圧の増加及び減少が緩やかになったことによって、デッドタイムｄｔ中にスナバコンデンサー１２の充電又は放電が完了できなくなることを抑制することができる。そして、ステップＳ１４へ進む。
【００３９】
（Ｓ１２）
制御回路３７は、デッドタイムｄｔ終了前に、スナバ電流検出手段３６によって検出される電流として逆方向の電流が発生しているか否かを判定する。その判定の結果、逆方向の電流が発生している場合、図４（ｃ）で示されるスナバ電圧及びスナバ電流の状態であり、負荷電流に転流が生じて、ターンオンする上スイッチ５又は下スイッチ６がゼロボルトスイッチングできなくなり、ラッシュ電流が流れて大きなスイッチング損失及びノイズが発生している状態と判断し、ステップＳ１３へ進む。一方、逆方向の電流が発生していない場合、ステップＳ１４へ進む。
【００４０】
（Ｓ１３） 
制御回路３７は、駆動回路３４が出力する駆動信号のデッドタイムｄｔを短くなるように、駆動回路３４に制御信号を送信する。これによって、デッドタイムｄｔ中の負荷電流の転流の発生を回避することができる。そして、ステップＳ１４へ進む。
【００４１】
（Ｓ１４） 
そして、制御回路３７は、ステップＳ３と同様の方法によって、鍋等が載置されているか否かを判定する。その判定の結果、鍋等が載置されている場合、制御回路３７は、加熱出力の調整を実施するためにステップＳ１５へ進む。一方、鍋等が載置されていない場合、ステップＳ３へ戻る。
【００４２】
（Ｓ１５） 
制御回路３７は、入力電流検出手段３１によって検出された入力電流、及び、入力電圧検出手段３２によって検出された入力電圧に基づいて、入力電力を検出する。そして、制御回路３７は、この検出された入力電力と、操作入力手段３３を介して使用者によって設定された設定電力とを比較する。その比較の結果、設定電力が、検出された入力電力よりも小さいと判定した場合、ステップＳ１６へ進む。また、設定電力が、検出された入力電力よりも大きいと判定した場合、ステップＳ１７へ進む。そして、設定電力が、検出された入力電力と略同一であると判定した場合、ステップＳ１８へ進む。
【００４３】
（Ｓ１６） 
制御回路３７は、駆動回路３４に対して駆動信号レベルを低下させて（駆動周波数を上昇させて）、加熱出力を低減させる。そして、ステップＳ１８へ進む。
【００４４】
（Ｓ１７） 
制御回路３７は、駆動回路３４に対して駆動信号レベルを上昇させて（駆動周波数を低下させて）、加熱出力を増加させる。そして、ステップＳ１８へ進む。
【００４５】
（Ｓ１８） 
制御回路３７は、操作入力手段３３から受信する操作信号に基づいて、使用者による加熱停止要求の操作が実施されたか否かを判定する。その判定の結果、加熱停止要求の操作が実施された場合、ステップＳ１９へ進む。一方、加熱停止要求の操作が実施されていない場合、ステップＳ４へ戻って、加熱動作を継続する。
【００４６】
（Ｓ１９） 
制御回路３７は、駆動回路３４に駆動信号の出力を停止させて、加熱動作を停止させる。そして、ステップＳ１へ戻り、使用者による加熱開始要求が実施されるまで待機する。
【００４７】
（実施の形態１の効果）
以上のような構成及び動作によって、インバーター回路２２のスイッチング素子において、テール電流等によるスイッチング損失（ターンオフ損失）を低減し、また、デッドタイムｄｔ中にスナバコンデンサー１２における充電又は放電を完了させ、かつ、負荷電流の転流を回避することによってスナバコンデンサー１２に流れるラッシュ電流を低減することができるのでスイッチング損失及びノイズを低減することができる。
また、以上のようにスイッチング動作におけるノイズを低減できるので、入力電流検出手段３１、入力電圧検出手段３２及びスナバ電流検出手段３６による電流及び電圧の検出を正確にすることができ、また、無負荷状態の検出も確実に実施することができる。
そして、上記のようにスイッチング損失を低減できるので、加熱効率を向上させることができ、また、スイッチング素子の故障の発生を抑制することができる。
さらに、スイッチング素子を冷却する冷却ファン等を設置する場合、その出力を小さくすることができ、冷却に使用するエネルギー及び冷却風による騒音を抑制することができる。
【００４８】
実施の形態２．
本実施の形態に係る誘導加熱調理器について、実施の形態１に係る誘導加熱調理器の構成及び動作と相違する点を中心に説明する。なお、本実施の形態に係る誘導加熱調理器の構成は、実施の形態１に係る誘導加熱調理器の図１で示される構成と同様である。
【００４９】
（スナバコンデンサー１２の容量の切替動作）
図７は、本発明の実施の形態２に係る誘導加熱調理器における加熱制御動作を示すフローチャートである。以下、図７を参照しながら、実施の形態１における図６のフローチャートで示される動作とは相違する点を中心に、スナバコンデンサー１２の容量の切替動作を含めた本実施の形態に係る誘導加熱調理器における加熱制御動作について説明する。
【００５０】
（Ｓ７）
制御回路３７は、スナバ切替手段３５に制御信号を送信し、スナバ切替手段３５は、受信した制御信号に基づいて切替信号を生成して切り離しスイッチ１１に出力してオフ状態にさせる。その結果、第２スナバコンデンサー１０が無効となり、スナバコンデンサー１２の容量は小さい状態となる。これによって、スナバコンデンサー１２の充電又は放電に要する時間を短縮できるので、上スイッチ５又は下スイッチ６のターンオン時のラッシュ電流を低減でき、スイッチング損失及びノイズを抑制することができる。そして、ステップＳ２０へ進む。
【００５１】
（Ｓ２０）
そして、制御回路３７は、駆動回路３４が出力する駆動信号のデッドタイムｄｔを短くなるように、駆動回路３４に制御信号を送信する。これは、ステップＳ７において、スナバコンデンサー１２の容量を小さい状態とすることによって、スナバコンデンサー１２の充電又は放電に要する時間が短縮され、また、負荷電流が転流するタイミングも早まるからである。これによって、デッドタイムｄｔ中の負荷電流の転流の発生を回避することができる。そして、ステップＳ１４へ進む。
【００５２】
（Ｓ８）
制御回路３７は、デッドタイムｄｔ中に、スナバ電流検出手段３６によって検出される電流の絶対値のピーク値が、所定値以上であるか否かを判定する。その判定の結果、所定値以上である場合、図４（ａ）で示されるスナバ電圧及びスナバ電流の状態であり、下スイッチ６がターンオフする場合にその両端に印加される電圧が急増してテール電流等によるスイッチング損失（ターンオフ損失）が大きくなる状態であると判断し、ステップＳ９へ進む。一方、所定値未満である場合、ステップＳ１４へ進む。
【００５３】
また、図７において、ステップＳ１〜ステップＳ６、ステップＳ９〜ステップＳ１１、並びに、ステップＳ１４〜ステップＳ１９の処理は、実施の形態１と同様であり、そして、本実施の形態の加熱制御動作においては、実施の形態１の図６におけるステップＳ１２及びステップＳ１３の処理はない。
【００５４】
（実施の形態２の効果）
以上のような動作によっても、実施の形態１と同様の効果を得ることができる。
【００５５】
実施の形態３．
本実施の形態に係る誘導加熱調理器について、実施の形態２に係る誘導加熱調理器の構成及び動作と相違する点を中心に説明する。
【００５６】
（誘導加熱調理器の回路構成）
図８は、本発明の実施の形態３に係る誘導加熱調理器の回路構成図である。
共振コンデンサー１４とインバーター回路２２との間に、負荷回路２３に流れる負荷電流を検出する出力電流検出手段３８が設置されている。この出力電流検出手段３８は、制御回路３７に接続されており、検出した負荷電流を制御回路３７へ送信する。また、本実施の形態に係る誘導加熱調理器は、スナバ電流検出手段３６は備えられていない。その他の構成は、実施の形態１の図１で示される誘導加熱調理器の回路構成と同様である。
なお、図８において、出力電流検出手段３８は、共振コンデンサー１４とインバーター回路２２との間に設置するものとしたが、これに限定されるものではなく、インバーター回路２２と加熱コイル１３との間、又は、加熱コイル１３と共振コンデンサー１４との間に設置されるものとしてもよいのは言うまでもない。
【００５７】
（スナバコンデンサー１２の容量の切替動作）
図９は、本発明の実施の形態３に係る誘導加熱調理器における加熱制御動作を示すフローチャートである。以下、図９を参照しながら、実施の形態２における図７のフローチャートで示される動作とは相違する点を中心に、スナバコンデンサー１２の容量の切替動作を含めた本実施の形態に係る誘導加熱調理器における加熱制御動作について説明する。
【００５８】
（Ｓ３）
制御回路３７は、入力電流検出手段３１によって検出された入力電流、及び、入力電圧検出手段３２によって検出された入力電圧に基づいて、適正な鍋等が載置されているか否かを判定する。その判定の結果、適正な鍋等が載置されている場合、ステップＳ２１へ進む。一方、適正な鍋等が載置されていない場合、ステップＳ１へ戻る。
なお、制御回路３７は、入力電流検出手段３１によって検出された入力電流、及び、入力電圧検出手段３２によって検出された入力電圧に基づいて、適正な鍋等が載置されているか否かを判定するものとしたが、これに限定されるものではなく、上記の入力電流のみに基づいて判定するものとしてもよい。また、上記の入力電流等、及び、出力電流検出手段３８で検出される電流に基づいて判定するものとしてもよい。
【００５９】
（Ｓ２１）
制御回路３７は、入力電流検出手段３１によって検出された入力電流、入力電圧検出手段３２によって検出された入力電圧、及び、出力電流検出手段３８によって検出された負荷電流に基づいて、入力電力を検出する。そして、ステップＳ２２へ進む。
なお、本実施の形態において、図８で示されるように、出力電流検出手段３８を設置し、上記のように、この出力電流検出手段３８によって検出される負荷電流、入力電流検出手段３１によって検出された入力電流、及び、入力電圧検出手段３２によって検出された入力電圧に基づいて、入力電力を検出するものとしているが、これに限定されるものではなく、入力電流検出手段３１によって検出された入力電流、及び、入力電圧検出手段３２によって検出された電圧のみに基づいて、入力電力を検出するものとしてもよい。この場合、出力電流検出手段３８は設置しないものとしてもよい。
【００６０】
（Ｓ２２）
制御回路３７は、検出した入力電力と、所定値とを比較する。その比較の結果、検出した入力電力が、所定値未満であると判定した場合、ステップＳ２３へ進む。一方、検出した入力電力が、所定値以上である判定した場合、ステップＳ２４へ進む。
【００６１】
（Ｓ２３）
制御回路３７は、切り離しスイッチ１１がオフ状態で第２スナバコンデンサー１０が無効になっていることによりスナバコンデンサー１２の容量が小さい状態であるか、あるいは、切り離しスイッチ１１がオン状態で第２スナバコンデンサー１０が有効になっていることによりスナバコンデンサー１２の容量が大きい状態であるか判定する。その判定の結果、スナバコンデンサー１２の容量が大きい場合、デッドタイムｄｔ中にスナバコンデンサー１２の充電又は放電が完了せず、上スイッチ５又は下スイッチ６のターンオン時に、スナバコンデンサー１２を充電又は放電するためのラッシュ電流が流れて、大きなスイッチング損失及びノイズが発生しやすい状態であると判断し、ステップＳ６へ進む。一方、スナバコンデンサー１２の容量が小さい場合、ステップＳ１４へ進む。
【００６２】
（Ｓ２４）
制御回路３７は、切り離しスイッチ１１がオン状態で第２スナバコンデンサー１０が有効になっていることによりスナバコンデンサー１２の容量が大きい状態であるか、あるいは、切り離しスイッチ１１がオフ状態で第２スナバコンデンサー１０が無効になっていることによりスナバコンデンサー１２の容量が小さい状態であるか判定する。その判定の結果、スナバコンデンサー１２の容量が小さい場合、下スイッチ６がターンオフする場合にその両端に印加される電圧が急増してテール電流等によるスイッチング損失（ターンオフ損失）が大きくなる状態であると判断し、ステップＳ９へ進む。一方、スナバコンデンサー１２の容量が大きい場合、ステップＳ１４へ進む。
【００６３】
（Ｓ１５） 
制御回路３７は、入力電流検出手段３１によって検出された入力電流、入力電圧検出手段３２によって検出された入力電圧、及び、出力電流検出手段３８によって検出された負荷電流に基づいて、入力電力を検出する。そして、制御回路３７は、この検出された入力電力と、操作入力手段３３を介して使用者によって設定された設定電力とを比較する。その比較の結果、設定電力が、検出された入力電力よりも小さいと判定した場合、ステップＳ１６へ進む。また、設定電力が、検出された入力電力よりも大きいと判定した場合、ステップＳ１７へ進む。そして、設定電力が、検出された入力電力と略同一であると判定した場合、ステップＳ１８へ進む。
なお、本実施の形態において、図８で示されるように、出力電流検出手段３８を設置し、上記のように、この出力電流検出手段３８によって検出される負荷電流、入力電流検出手段３１によって検出された入力電流、及び、入力電圧検出手段３２によって検出された入力電圧に基づいて、入力電力を検出するものとしているが、これに限定されるものではなく、実施の形態１及び実施の形態２と同様に、入力電流検出手段３１によって検出された入力電流、及び、入力電圧検出手段３２によって検出された入力電圧のみに基づいて、入力電力を検出するものとしてもよい。この場合、出力電流検出手段３８は設置しないものとしてもよい。
【００６４】
（Ｓ１８） 
制御回路３７は、操作入力手段３３から受信する操作信号に基づいて、使用者による加熱停止要求の操作が実施されたか否かを判定する。その判定の結果、加熱停止要求の操作が実施された場合、ステップＳ１９へ進む。一方、加熱停止要求の操作が実施されていない場合、ステップＳ２１へ戻って、加熱動作を継続する。
【００６５】
また、図９において、ステップＳ１、ステップＳ２、ステップＳ６、ステップＳ７、ステップＳ９〜ステップＳ１１、ステップＳ１４〜ステップＳ１７、ステップＳ１９、並びに、ステップＳ２０の処理は、実施の形態２と同様であり、そして、本実施の形態の加熱制御動作においては、実施の形態２の図７におけるステップＳ４、ステップＳ５及びステップＳ８の処理はない。
【００６６】
（実施の形態３の効果）
以上の構成及び動作のように、入力電力が所定値未満の場合にはスナバコンデンサー１２の容量を小さい状態に切り替えると共にデッドタイムｄｔを短縮し、入力電力が所定値以上の場合にはスナバコンデンサー１２の容量を大きい状態に切り替えると共にデッドタイムｄｔを長くすることによって、インバーター回路２２のスイッチング素子において、テール電流等によるスイッチング損失（ターンオフ損失）を低減し、また、デッドタイムｄｔ中にスナバコンデンサー１２における充電又は放電を完了させ、かつ、負荷電流の転流を回避できることによりスナバコンデンサー１２に流れるラッシュ電流を低減することができるのでスイッチング損失及びノイズを低減することができる。
また、以上のようにスイッチング動作におけるノイズを低減できるので、入力電流検出手段３１、入力電圧検出手段３２及び出力電流検出手段３８による電流及び電圧の検出を正確にすることができ、また、無負荷状態の検出も確実に実施することができる。
そして、上記のようにスイッチング損失を低減できるので、加熱効率を向上させることができ、また、スイッチング素子の故障の発生を抑制することができる。
さらに、スイッチング素子を冷却する冷却ファン等を設置する場合、その出力を小さくすることができ、冷却に使用するエネルギー及び冷却風による騒音を抑制することができる。
【００６７】
実施の形態４．
本実施の形態に係る誘導加熱調理器について、実施の形態３に係る誘導加熱調理器の構成及び動作と相違する点を中心に説明する。なお、本実施の形態に係る誘導加熱調理器の構成は、実施の形態３に係る誘導加熱調理器の図８で示される構成と同様である。
【００６８】
（スナバコンデンサー１２の容量の切替動作）
図１０は、本発明の実施の形態４に係る誘導加熱調理器における加熱制御動作を示すフローチャートである。以下、図１０を参照しながら、実施の形態３における図９のフローチャートで示される動作とは相違する点を中心に、スナバコンデンサー１２の容量の切替動作を含めた本実施の形態に係る誘導加熱調理器における加熱制御動作について説明する。
【００６９】
（Ｓ３）
制御回路３７は、入力電流検出手段３１によって検出された入力電流、及び、入力電圧検出手段３２によって検出された入力電圧に基づいて、適正な鍋等が載置されているか否かを判定する。その判定の結果、適正な鍋等が載置されている場合、ステップＳ２５へ進む。一方、適正な鍋等が載置されていない場合、ステップＳ１へ戻る。
なお、制御回路３７は、入力電流検出手段３１によって検出された入力電流、及び、入力電圧検出手段３２によって検出された入力電圧に基づいて、適正な鍋等が載置されているか否かを判定するものとしたが、これに限定されるものではなく、上記の入力電流のみに基づいて判定するものとしてもよい。
【００７０】
（Ｓ２５）
制御回路３７は、出力電流検出手段３８によって検出された負荷電流を受信する。そして、ステップＳ２６へ進む。
【００７１】
（Ｓ２６）
制御回路３７は、受信した負荷電流と、所定値とを比較する。その比較の結果、負荷電流が、所定値以上であると判定した場合、ステップＳ２３へ進む。一方、検出した負荷電流が、所定値未満である判定した場合、ステップＳ２４へ進む。
【００７２】
（Ｓ１５） 
制御回路３７は、入力電流検出手段３１によって検出された入力電流、入力電圧検出手段３２によって検出された入力電圧、及び、出力電流検出手段３８によって検出された負荷電流に基づいて、入力電力を検出する。そして、制御回路３７は、この検出された入力電力と、操作入力手段３３を介して使用者によって設定された設定電力とを比較する。その比較の結果、設定電力が、検出された入力電力よりも小さいと判定した場合、ステップＳ１６へ進む。また、設定電力が、検出された入力電力よりも大きいと判定した場合、ステップＳ１７へ進む。そして、設定電力が、検出された入力電力と略同一であると判定した場合、ステップＳ１８へ進む。
なお、本実施の形態において、図８で示されるように、出力電流検出手段３８を設置し、上記のように、この出力電流検出手段３８によって検出される負荷電流、入力電流検出手段３１によって検出された入力電流、及び、入力電圧検出手段３２によって検出された入力電圧に基づいて、入力電力を検出するものとしているが、これに限定されるものではなく、実施の形態１及び実施の形態２と同様に、入力電流検出手段３１によって検出された入力電流、及び、入力電圧検出手段３２によって検出された入力電圧のみに基づいて、入力電力を検出するものとしてもよい。
【００７３】
（Ｓ１８） 
制御回路３７は、操作入力手段３３から受信する操作信号に基づいて、使用者による加熱停止要求の操作が実施されたか否かを判定する。その判定の結果、加熱停止要求の操作が実施された場合、ステップＳ１９へ進む。一方、加熱停止要求の操作が実施されていない場合、ステップＳ２５へ戻って、加熱動作を継続する。
【００７４】
また、図１０において、ステップＳ１、ステップＳ２、ステップＳ６、ステップＳ７、ステップＳ９〜ステップＳ１１、ステップＳ１４〜ステップＳ１７、ステップＳ１９、ステップＳ２０、ステップＳ２３、並びに、ステップＳ２４の処理は、実施の形態３と同様であり、そして、本実施の形態の加熱制御動作においては、実施の形態３の図９におけるステップＳ２１及びステップＳ２２の処理はない。
【００７５】
（実施の形態４の効果）
以上の構成及び動作のように、負荷電流が所定値未満の場合にはスナバコンデンサー１２の容量を小さい状態に切り替えると共にデッドタイムｄｔを短縮し、負荷電流が所定値以上の場合にはスナバコンデンサー１２の容量を大きい状態に切り替えると共にデッドタイムｄｔを長くすることによって、インバーター回路２２のスイッチング素子において、テール電流等によるスイッチング損失（ターンオフ損失）を低減し、また、デッドタイムｄｔ中にスナバコンデンサー１２における充電又は放電を完了させ、かつ、負荷電流の転流を回避できることによりスナバコンデンサー１２に流れるラッシュ電流を低減することができるのでスイッチング損失及びノイズを低減することができる。
また、以上のようにスイッチング動作におけるノイズを低減できるので、入力電流検出手段３１、入力電圧検出手段３２及び出力電流検出手段３８による電流及び電圧の検出を正確にすることができ、また、無負荷状態の検出も確実に実施することができる。
【００７６】
実施の形態５．
本実施の形態に係る誘導加熱調理器について、実施の形態３に係る誘導加熱調理器の構成及び動作と相違する点を中心に説明する。なお、本実施の形態に係る誘導加熱調理器の構成は、実施の形態３に係る誘導加熱調理器の図８で示される構成と同様である。
【００７７】
（スナバコンデンサー１２の容量の切替動作）
図１１は、本発明の実施の形態５に係る誘導加熱調理器における加熱制御動作を示すフローチャートである。以下、図１１を参照しながら、実施の形態３における図９のフローチャートで示される動作とは相違する点を中心に、スナバコンデンサー１２の容量の切替動作を含めた本実施の形態に係る誘導加熱調理器における加熱制御動作について説明する。
【００７８】
（Ｓ３）
制御回路３７は、入力電流検出手段３１によって検出された入力電流、及び、入力電圧検出手段３２によって検出された入力電圧に基づいて、適正な鍋等が載置されているか否かを判定する。その判定の結果、適正な鍋等が載置されている場合、ステップＳ２７へ進む。一方、適正な鍋等が載置されていない場合、ステップＳ１へ戻る。
なお、制御回路３７は、入力電流検出手段３１によって検出された入力電流、及び、入力電圧検出手段３２によって検出された入力電圧に基づいて、適正な鍋等が載置されているか否かを判定するものとしたが、これに限定されるものではなく、上記の入力電流のみに基づいて判定するものとしてもよい。
【００７９】
（Ｓ２７）
制御回路３７は、入力電流検出手段３１によって検出された入力電流、入力電圧検出手段３２によって検出された入力電圧、及び、出力電流検出手段３８によって検出された負荷電流に基づいて、入力電力を検出する。そして、ステップＳ２２へ進む。
なお、本実施の形態において、図８で示されるように、出力電流検出手段３８を設置し、上記のように、この出力電流検出手段３８によって検出される負荷電流、入力電流検出手段３１によって検出された入力電流、及び、入力電圧検出手段３２によって検出された入力電圧に基づいて、入力電力を検出するものとしているが、これに限定されるものではなく、入力電流検出手段３１によって検出された入力電流、及び、入力電圧検出手段３２によって検出された入力電圧のみに基づいて、入力電力を検出するものとしてもよい。
【００８０】
（Ｓ２２）
制御回路３７は、検出した入力電力と、所定値とを比較する。その比較の結果、検出した入力電力が、所定値未満であると判定した場合、ステップＳ２３へ進む。一方、検出した入力電力が、所定値以上である判定した場合、ステップＳ２８へ進む。
【００８１】
（Ｓ２８）
制御回路３７は、出力電流検出手段３８から受信した負荷電流と、所定値とを比較する。その比較の結果、負荷電流が、所定値未満であると判定した場合、ステップＳ２３へ進む。一方、負荷電流が、所定値以上である判定した場合、ステップＳ２４へ進む。
【００８２】
（Ｓ１５） 
制御回路３７は、入力電流検出手段３１によって検出された入力電流、入力電圧検出手段３２によって検出された入力電圧、及び、出力電流検出手段３８によって検出された負荷電流に基づいて、入力電力を検出する。そして、制御回路３７は、この検出された入力電力と、操作入力手段３３を介して使用者によって設定された設定電力とを比較する。その比較の結果、設定電力が、検出された入力電力よりも小さいと判定した場合、ステップＳ１６へ進む。また、設定電力が、検出された入力電力よりも大きいと判定した場合、ステップＳ１７へ進む。そして、設定電力が、検出された入力電力と略同一であると判定した場合、ステップＳ１８へ進む。
なお、本実施の形態において、図８で示されるように、出力電流検出手段３８を設置し、上記のように、この出力電流検出手段３８によって検出される負荷電流、入力電流検出手段３１によって検出された入力電流、及び、入力電圧検出手段３２によって検出された入力電圧に基づいて、入力電力を検出するものとしているが、これに限定されるものではなく、実施の形態１及び実施の形態２と同様に、入力電流検出手段３１によって検出された入力電流、及び、入力電圧検出手段３２によって検出された入力電圧のみに基づいて、入力電力を検出するものとしてもよい。
【００８３】
（Ｓ１８） 
制御回路３７は、操作入力手段３３から受信する操作信号に基づいて、使用者による加熱停止要求の操作が実施されたか否かを判定する。その判定の結果、加熱停止要求の操作が実施された場合、ステップＳ１９へ進む。一方、加熱停止要求の操作が実施されていない場合、ステップＳ２７へ戻って、加熱動作を継続する。
【００８４】
また、図１１において、ステップＳ１、ステップＳ２、ステップＳ６、ステップＳ７、ステップＳ９〜ステップＳ１１、ステップＳ１４、ステップＳ１６、ステップＳ１７、ステップＳ１９、ステップＳ２０、ステップＳ２３、並びに、ステップＳ２４の処理は、実施の形態３と同様であり、そして、本実施の形態の加熱制御動作においては、実施の形態３の図９におけるステップＳ２１の処理はない。
【００８５】
（実施の形態５の効果）
以上の構成及び動作のように、入力電力が所定値未満、又は、負荷電流が所定値未満の場合にはスナバコンデンサー１２の容量を小さい状態に切り替えると共にデッドタイムｄｔを短縮し、入力電力が所定値以上、かつ、負荷電流が所定値以上の場合にはスナバコンデンサー１２の容量を大きい状態に切り替えると共にデッドタイムｄｔを長くすることによって、インバーター回路２２のスイッチング素子において、テール電流等によるスイッチング損失（ターンオフ損失）を低減し、また、デッドタイムｄｔ中にスナバコンデンサー１２における充電又は放電を完了させ、かつ、負荷電流の転流を回避できることによりスナバコンデンサー１２に流れるラッシュ電流を低減することができるのでスイッチング損失及びノイズを低減することができる。
また、以上のようにスイッチング動作におけるノイズを低減できるので、入力電流検出手段３１、入力電圧検出手段３２及び出力電流検出手段３８による電流及び電圧の検出を正確にすることができ、また、無負荷状態の検出も確実に実施することができる。
【００８６】
なお、本実施の形態においては、入力電流検出手段３１によって検出された入力電流、及び、入力電圧検出手段３２によって検出された入力電圧に基づいて入力電力を検出し、この入力電力に基づいて、鍋等の載置の判定、並びに、駆動信号レベル、スナバコンデンサー１２の容量、及びデッドタイムｄｔの長さの制御を実施しているが、これに限定されるものではなく、例えば、図１２で示されるような回路構成としてもよい。すなわち、加熱コイル１３の両端の電圧（以下、出力電圧という）を検出する加熱コイル電圧検出手段３９、並びに、この加熱コイル電圧検出手段３９によって検出された出力電圧、及び出力電流検出手段３８によって検出された負荷電流に基づいて出力電力を検出する出力電力検出手段４０を設置し、入力電流検出手段３１及び入力電圧検出手段３２を設置しない構成にしてもよい。このとき、出力電力検出手段４０は、検出した出力電力を制御回路３７へ送信し、制御回路３７は、入力電力の代わりに、この出力電力に基づいて、鍋等の載置の判定、並びに、駆動信号レベル、スナバコンデンサー１２の容量、及びデッドタイムｄｔの長さの制御を実施するものとすればよい。また、出力電力検出手段４０が、出力電流検出手段３８によって検出された負荷電流、及び、加熱コイル電圧検出手段３９によって検出された出力電圧に基づいて、出力電力を検出する構成ではなく、加熱コイル電圧検出手段３９は、検出した出力電圧を送信する制御回路３７に送信し、制御回路３７が、受信した出力電圧、及び、出力電流検出手段３８によって検出された負荷電流に基づいて、出力電力を算出する構成としてもよい。この場合、出力電力検出手段４０は設置しなくてよい。
なお、出力電力検出手段４０は、本発明の「電力検出手段」に相当する。
【００８７】
また、上記の図１２で示される回路構成は、実施の形態１、実施の形態２又は実施の形態４に係る誘導加熱調理器に適用することもできる。この場合、図６、図７又は図１０で示されるフローチャートにおいて、制御回路３７は、ステップＳ３及びステップＳ１４の鍋等の載置の判定、並びにステップＳ１５〜ステップＳ１７の駆動信号レベルの制御を、前述の出力電力に基づいて実施すればよい。また、同様に図１２で示される回路構成は、実施の形態３に係る誘導加熱調理器に適用することもできる。この場合、図９で示されるフローチャートにおいて、制御回路３７は、ステップＳ３及びステップＳ１４の鍋等の載置の判定、ステップＳ２１の入力電力の算出、並びにステップＳ１５〜ステップＳ１７の駆動信号レベルの制御を、前述の出力電力に基づいて実施すればよい。
【００８８】
実施の形態６．
本実施の形態に係る誘導加熱調理器について、実施の形態３に係る誘導加熱調理器の構成及び動作と相違する点を中心に説明する。
【００８９】
（誘導加熱調理器の回路構成）
図１３は、本発明の実施の形態６に係る誘導加熱調理器の回路構成図である。
図１３で示されるように、下スイッチ６に、第１下スナバコンデンサー９ａ、及び第２下スナバコンデンサー１０ａと下切り離しスイッチ１１ａとの直列回路が、それぞれ並列接続されている。また、上スイッチ５に、第１上スナバコンデンサー９ｂ、及び第２上スナバコンデンサー１０ｂと上切り離しスイッチ１１ｂとの直列回路が、それぞれ並列接続されている。この第１下スナバコンデンサー９ａ、第２下スナバコンデンサー１０ａ、下切り離しスイッチ１１ａ、第１上スナバコンデンサー９ｂ、第２上スナバコンデンサー１０ｂ及び上切り離しスイッチ１１ｂによってスナバコンデンサー１２ａが構成されている。また、少なくとも、上スイッチ５、下スイッチ６、ダイオード７、ダイオード８及びスナバコンデンサー１２ａによって、インバーター回路２２ａが構成されている。さらに、共振コンデンサー１４に、クランプダイオード４１が並列接続されており、加熱コイル１３、共振コンデンサー１４及びクランプダイオード４１によって、負荷回路２３ａが構成されている。
【００９０】
なお、図１３で示されるように、第２下スナバコンデンサー１０ａを下切り離しスイッチ１１ａの高電位側に接続し、第２上スナバコンデンサー１０ｂを上切り離しスイッチ１１ｂの高電位側に接続する構成としているが、これに限定されるものではなく、第２下スナバコンデンサー１０ａを下切り離しスイッチ１１ａの低電位側に接続、又は、第２上スナバコンデンサー１０ｂを上切り離しスイッチ１１ｂの低電位側に接続する構成としてもよいのは言うまでもない。
また、上記の下切り離しスイッチ１１ａ及び上切り離しスイッチ１１ｂは、例えば、リレー回路、ＩＧＢＴ又はＭＯＳＦＥＴ等のスイッチング機能を有する部品を用いるものとすればよい。
また、スナバコンデンサー１２ａは、本発明の「第２のスナバコンデンサー」に相当する。
【００９１】
前述の下切り離しスイッチ１１ａ及び上切り離しスイッチ１１ｂそれぞれに切替信号を出力して、そのオン／オフ動作を制御するスナバ切替手段３５ａが制御回路３７に接続されている。
【００９２】
（誘導加熱調理器の動作）
スナバ切替手段３５ａは、制御回路３７から受信した制御信号に基づいて切替信号を生成して、その切替信号を下切り離しスイッチ１１ａ及び上切り離しスイッチ１１ｂに出力して、そのオン／オフ動作をする。これによって、スナバコンデンサー１２ａの容量が大きい状態又は小さい状態に切り替えられる。
【００９３】
図１４は、本発明の実施の形態６に係る誘導加熱調理器のインバーター回路２２ａに入力される駆動信号の波形例を示す図である。
図１３で示されるように、共振コンデンサー１４にクランプダイオード４１が並列接続されることによって、下スイッチ６のオン状態の時間が長くなっても、共振コンデンサー１４と加熱コイル１３との接続点の電位はクランプダイオード４１によって直流母線の低電位側にクランプされるため、加熱コイル１３に逆方向の電圧が印加されず、負荷電流は転流しない。そのため、本実施の形態に係る誘導加熱調理器においては、インバーター回路２２ａの駆動周波数を一定として、上スイッチ５と下スイッチ６との導通時間比率を変えることによって出力を調整することが可能となる。このとき、図１４で示されるように、図１４（ａ）は中出力、図１４（ｂ）は高出力、そして、図１４（ｃ）は低出力の場合の駆動信号である。このように、本実施の形態においては、駆動周波数を一定で駆動できることによって、複数の加熱コイルを隣接して配置しても、加熱コイル１３及び鍋における干渉音を抑制することができる。
【００９４】
制御回路３７は、駆動回路３４及びスナバ切替手段３５ａを介しての上スイッチ５、下スイッチ６及び下切り離しスイッチ１１ａにおけるオン／オフ動作の制御を、実施の形態３又は実施の形態４における駆動回路３４及びスナバ切替手段３５を介しての上スイッチ５、下スイッチ６及び切り離しスイッチ１１におけるオン／オフ動作の制御と同様に実施する。
【００９５】
（実施の形態６の効果）
以上の構成のように、共振コンデンサー１４にクランプダイオード４１を並列接続したので、加熱コイル１３に逆方向の電圧が印加されず、負荷電流の転流の発生を抑制することができ、転流によるスイッチング損失を低減することができる。
また、入力電力が所定値未満の場合にはスナバコンデンサー１２ａの容量を小さい状態に切り替え、また、入力電力が所定値以上の場合にはスナバコンデンサー１２ａの容量を大きい状態に切り替えることによって、インバーター回路２２ａのスイッチング素子において、テール電流等によるスイッチング損失（ターンオフ損失）を低減し、また、デッドタイムｄｔ中にスナバコンデンサー１２ａにおける充電又は放電を完了させ、かつ、負荷電流の転流を回避できることによりスナバコンデンサー１２ａに流れるラッシュ電流を低減することができるのでスイッチング損失及びノイズを低減することができる。
また、以上のようにスイッチング動作におけるノイズを低減できるので、入力電流検出手段３１、入力電圧検出手段３２及び出力電流検出手段３８による電流及び電圧の検出を正確にすることができ、また、無負荷状態の検出も確実に実施することができる。
【００９６】
なお、本実施の形態においては、出力電流検出手段３８を備え、負荷電流を検出する構成としているが、これに限定されるものではなく、実施の形態１と同様に、出力電流検出手段３８の代わりにスナバ電流検出手段３６を備える構成としてもよい。このとき、制御回路３７は、実施の形態１における図７で示されるフローチャート、又は、実施の形態２における図８で示されるフローチャートに基づいて加熱制御動作を実施すればよい。以上の構成及び動作によっても、上記と同様の効果を得ることができる。
また、本実施の形態においては、入力電流検出手段３１及び入力電圧検出手段３２を備え、入力電圧を検出する構成としているが、これに限定されるものではなく、実施の形態５における図１２で示される回路構成図と同様に、入力電流検出手段３１及び入力電圧検出手段３２の代わりに、加熱コイル電圧検出手段３９及び出力電力検出手段４０を備え、出力電力を検出する構成としてもよい。このとき、制御回路３７は、実施の形態５における図１１で示されるフローチャートに基づき、かつ、入力電力の代わりに、出力電力検出手段４０によって検出された出力電力に基づいて加熱制御動作を実施すればよい。なお、前述のように、制御回路３７が、出力電流検出手段３８によって検出された負荷電流、及び、加熱コイル電圧検出手段３９によって検出された出力電圧に基づいて、出力電力を算出する構成とする場合、出力電力検出手段４０は設置しない構成としてもよい。
【符号の説明】
【００９７】
１  交流電源、２  ダイオードブリッジ回路、３  チョークコイル、４  平滑コンデンサー、５  上スイッチ、６  下スイッチ、７、８  ダイオード、９  第１スナバコンデンサー、９ａ  第１下スナバコンデンサー、９ｂ  第１上スナバコンデンサー、１０  第２スナバコンデンサー、１０ａ  第２下スナバコンデンサー、１０ｂ  第２上スナバコンデンサー、１１  切り離しスイッチ、１１ａ  下切り離しスイッチ、１１ｂ  上切り離しスイッチ、１２、１２ａ  スナバコンデンサー、１３  加熱コイル、１４  共振コンデンサー、２１  直流電源回路、２２、２２ａ  インバーター回路、２３、２３ａ  負荷回路、３１  入力電流検出手段、３２  入力電圧検出手段、３３  操作入力手段、３４  駆動回路、３５  スナバ切替手段、３６  スナバ電流検出手段、３７  制御回路、３８  出力電流検出手段、３９  加熱コイル電圧検出手段、４０  出力電力検出手段、４１  クランプダイオード。
【図１】
0005383526.tif 000002
【図２】
0005383526.tif 000003
【図３】
0005383526.tif 000004
【図４】
0005383526.tif 000005
【図５】
0005383526.tif 000006
【図６】
0005383526.tif 000007
【図７】
0005383526.tif 000008
【図８】
0005383526.tif 000009
【図９】
0005383526.tif 000010
【図１０】
0005383526.tif 000011
【図１１】
0005383526.tif 000012
【図１２】
0005383526.tif 000013
【図１３】
0005383526.tif 000014
【図１４】
0005383526.tif 000015